(57)【要約】      （修正有）【課題】リモコンの操作者に応じた処理を行う映像表示装置およびその制御方法を提供する。【解決手段】本映像表示装置は、視聴者の顔情報と、クラウドサービスにおける該視聴者のログイン情報と、が関連付けられたデータベースを記憶する記憶部と、映像表示装置を遠隔操作するリモコンを操作している視聴者の顔を検出する検出部と、リモコンを操作している視聴者の顔およびデータベースに基づいて、リモコンを操作している視聴者と関連づけられたログイン情報を取得し、これを用いてクラウドサービスにログインする処理部と、を備える。検出部は、撮影された映像から視聴者の顔の位置を検出する顔検出部と、撮影された映像からリモコンの位置を検出するリモコン検出部と、検出された視聴者の顔が複数ある場合に、検出された顔の位置、および、検出されたリモコンの位置に基づいて、リモコンを操作している視聴者を特定する操作者特定部と、を有する。【選択図】図１
2015038537.tif 000002
【特許請求の範囲】
【請求項１】
インターネットを介してクラウドサービスを利用可能な映像表示装置であって、
視聴者の顔情報と、前記クラウドサービスにおける該視聴者のログイン情報と、が関連付けられたデータベースを記憶する記憶部と、
映像表示装置を遠隔操作するリモコンを操作している視聴者の顔を検出する検出部と、
前記リモコンを操作している視聴者の顔および前記データベースに基づいて、前記リモコンを操作している視聴者と関連づけられたログイン情報を取得し、これを用いて前記クラウドサービスにログインする処理部と、を備え、
前記検出部は、
撮影された映像から視聴者の顔の位置を検出する顔検出部と、
前記撮影された映像から前記リモコンの位置を検出するリモコン検出部と、
前記検出された視聴者の顔が複数ある場合に、前記検出された顔の位置、および、前記検出されたリモコンの位置に基づいて、前記リモコンを操作している視聴者を特定する操作者特定部と、を有する映像表示装置。
【請求項２】
前記処理部は、前記リモコンの操作に応じて、前記クラウドサービスに投稿する請求項１に記載の映像表示装置。
【請求項３】
前記処理部は、前記クラウドサービスの更新情報を取得し、これを表示部に表示させる請求項１に記載の映像表示装置。
【請求項４】
映像表示装置を遠隔操作するリモコンを操作している視聴者を検出する検出部と、
前記リモコンを操作している視聴者に応じた処理を行う処理部と、を備え、
前記検出部は、
撮影された映像から視聴者の顔の位置を検出する顔検出部と、
前記撮影された映像から前記リモコンの位置を検出するリモコン検出部と、
前記検出された視聴者の顔が複数ある場合に、前記検出された顔の位置、および、前記検出されたリモコンの位置に基づいて、前記リモコンを操作している視聴者を特定する操作者特定部と、を有する映像表示装置。
【請求項５】
視聴者の顔情報と、該視聴者の属性情報と、が関連付けられたデータベースを記憶する記憶部を備え、
前記検出部は、前記リモコンを操作している視聴者の顔を検出し、
前記処理部は、前記リモコンを操作している視聴者の顔および前記データベースに基づいて、前記リモコンを操作している視聴者の属性情報を取得し、この属性情報に応じた処理を行う請求項４に記載の映像表示装置。
【請求項６】
前記処理部は、前記検出されたリモコンを操作している視聴者に応じた視聴推奨コンテンツを表示部に表示する請求項４に記載の映像表示装置。
【請求項７】
視聴者の顔情報と、該視聴者の視聴履歴または年齢情報と、が関連付けられたデータベースを記憶する記憶部を備え、
前記処理部は、前記視聴履歴または前記年齢情報に基づいて、前記視聴推奨コンテンツを表示部に表示する請求項６に記載の映像表示装置。
【請求項８】
前記処理部は、前記リモコンを操作している視聴者と、該リモコンを操作している視聴者の検出時に表示部に表示されているコンテンツ情報と、に基づいて前記視聴履歴を更新する請求項７に記載の映像表示装置。
【請求項９】
前記属性情報は、視聴者の年齢情報を含み、
前記処理部は、前記リモコンを操作している視聴者の顔情報と関連付けられた年齢情報に応じた処理を行う請求項５に記載の映像表示装置。
【請求項１０】
視聴者の顔情報と、該視聴者のアイコンとが関連付けられたデータベースを記憶する記憶部を備え、
前記処理部は、前記検出されたリモコンを操作している視聴者と関連付けられたアイコンを表示部に表示する請求項４に記載の映像表示装置。
【請求項１１】
インターネットを介してクラウドサービスを利用可能であるとともに、
視聴者の顔情報と、前記クラウドサービスにおける該視聴者のログイン情報と、が関連付けられたデータベースを記憶する記憶部を備える映像表示装置の制御方法であって、
映像表示装置を遠隔操作するリモコンを操作している視聴者の顔を検出するステップと、
前記リモコンを操作している視聴者の顔および前記データベースに基づいて、前記リモコンを操作している視聴者と関連づけられたログイン情報を取得し、これを用いて前記クラウドサービスにログインするステップと、を備え、
前記リモコンを操作している視聴者の顔を検出するステップは、
撮影された映像から視聴者の顔の位置を検出するステップと、
前記撮影された映像から前記リモコンの位置を検出するステップと、
前記検出された視聴者の顔が複数ある場合に、前記検出された顔の位置、および、前記検出されたリモコンの位置に基づいて、前記リモコンを操作している視聴者を特定するステップと、を有する映像表示装置の制御方法。
【請求項１２】
前記リモコンの操作に応じて、前記クラウドサービスに投稿するステップを備える請求項１１に記載の映像表示装置の制御方法。
【請求項１３】
前記クラウドサービスの更新情報を取得し、これを表示部に表示させるステップを備える請求項１１に記載の映像表示装置の制御方法。
【請求項１４】
映像表示装置を遠隔操作するリモコンを操作している視聴者を検出するステップと、
前記リモコンを操作している視聴者に応じた処理を行うステップと、を備え、
前記リモコンを操作している視聴者を検出するステップは、
撮影された映像から視聴者の顔の位置を検出するステップと、
前記撮影された映像から前記リモコンの位置を検出するステップと、
前記検出された視聴者の顔が複数ある場合に、前記検出された顔の位置、および、前記検出されたリモコンの位置に基づいて、前記リモコンを操作している視聴者を特定するステップと、を有する映像表示装置の制御方法。
【請求項１５】
前記映像表示装置は、視聴者の顔情報と、該視聴者の属性情報と、が関連付けられたデータベースを記憶する記憶部を備え、
前記リモコンを操作している視聴者を検出するステップでは、前記リモコンを操作している視聴者の顔を検出し、
前記リモコンを操作している視聴者に応じた処理を行うステップでは、前記リモコンを操作している視聴者の顔および前記データベースに基づいて、前記リモコンを操作している視聴者の属性情報を取得し、この属性情報に応じた処理を行う請求項１４に記載の映像表示装置の制御方法。
【請求項１６】
前記リモコンを操作している視聴者に応じた処理を行うステップでは、前記検出されたリモコンを操作している視聴者に応じた視聴推奨コンテンツを表示部に表示する請求項１４に記載の映像表示装置の制御方法。
【請求項１７】
前記映像表示装置は、視聴者の顔情報と、該視聴者の視聴履歴または年齢情報と、が関連付けられたデータベースを記憶する記憶部を備え、
前記リモコンを操作している視聴者に応じた処理を行うステップでは、前記視聴履歴または前記年齢情報に基づいて、前記視聴推奨コンテンツを表示部に表示する請求項１６に記載の映像表示装置の制御方法。
【請求項１８】
前記リモコンを操作している視聴者に応じた処理を行うステップでは、前記リモコンを操作している視聴者と、該リモコンを操作している視聴者の検出時に表示部に表示されているコンテンツ情報と、に基づいて前記視聴履歴を更新する請求項１７に記載の映像表示装置の制御方法。
【請求項１９】
前記属性情報は、視聴者の年齢情報を含み、
前記リモコンを操作している視聴者に応じた処理を行うステップでは、前記リモコンを操作している視聴者の顔情報と関連付けられた年齢情報に応じた処理を行う請求項１５に記載の映像表示装置の制御方法。
【請求項２０】
前記映像表示装置は、視聴者の顔情報と、該視聴者のアイコンとが関連付けられたデータベースを記憶する記憶部を備え、
前記リモコンを操作している視聴者に応じた処理を行うステップでは、前記検出されたリモコンを操作している視聴者と関連付けられたアイコンを表示部に表示する請求項１４に記載の映像表示装置の制御方法。
【発明の詳細な説明】
【技術分野】
【０００１】
本発明の実施形態は、映像表示装置およびその制御方法に関する。
【背景技術】
【０００２】
近年の映像表示装置が大型化し、多くの人が映像表示装置を視聴する機会が増えてきている。この場合、複数の視聴者の中でも、リモコンで映像表示装置を遠隔操作している視聴者が最も視聴意欲が高いことが多い。したがって、リモコンを操作している視聴者に対しては、他の視聴者とは異なる機能を提供するのが望ましい。
【先行技術文献】
【特許文献】
【０００３】
【特許文献１】特開２００８−２１７２５５号公報
【発明の概要】
【発明が解決しようとする課題】
【０００４】
リモコンの操作者に応じた処理を行う映像表示装置およびその制御方法を提供する。
【課題を解決するための手段】
【０００５】
実施形態によれば、インターネットを介してクラウドサービスを利用可能な映像表示装置が提供される。本映像表示装置は、視聴者の顔情報と、前記クラウドサービスにおける該視聴者のログイン情報と、が関連付けられたデータベースを記憶する記憶部と、映像表示装置を遠隔操作するリモコンを操作している視聴者の顔を検出する検出部と、前記リモコンを操作している視聴者の顔および前記データベースに基づいて、前記リモコンを操作している視聴者と関連づけられたログイン情報を取得し、これを用いて前記クラウドサービスにログインする処理部と、を備える。前記検出部は、撮影された映像から視聴者の顔の位置を検出する顔検出部と、前記撮影された映像から前記リモコンの位置を検出するリモコン検出部と、前記検出された視聴者の顔が複数ある場合に、前記検出された顔の位置、および、前記検出されたリモコンの位置に基づいて、前記リモコンを操作している視聴者を特定する操作者特定部と、を有する。
【図面の簡単な説明】
【０００６】
【図１】映像表示装置１００を複数の視聴者４１〜４３が視聴している様子を上から見た図。
【図２】リモコン５１の操作者を検出するリモコン操作者検出システムの概略構成を示すブロック図。
【図３】カメラ３が撮影する映像の一例を示す図。
【図４】カメラ３が有する撮像素子の受光感度を概略的に示す図。
【図５】リモコン検出部２２の動作を説明する図。
【図６】リモコン検出部２２の動作を説明する図。
【図７】第１の実施形態に係る映像表示装置１００の外観図。
【図８】第１の実施形態に係る映像表示装置１００の概略構成を示すブロック図。
【図９】データベースの構造の一例を示す図。
【図１０】第２の実施形態に係る映像表示装置１００の概略構成を示すブロック図。
【図１１】データベースの構造の一例を示す図。
【発明を実施するための形態】
【０００７】
以下、実施形態について、図面を参照しながら具体的に説明する。まずは、リモコンの操作者を検出する手法について説明する。
【０００８】
図１は、映像表示装置１００を複数の視聴者４１〜４３が視聴している様子を上から見た図である。同図では、視聴者４２がリモコン５１を保持して操作している。このリモコン５１は、映像表示装置１００を遠隔操作するために、赤外線信号を発するものである。そして、図２は、リモコン５１の操作者を検出するリモコン操作者検出システムの概略構成を示すブロック図である。
【０００９】
リモコン操作者検出システムは、カメラ３と、リモコン操作者検出装置（以下、単に検出装置という）２０とを備えている。検出装置２０は、顔検出部２１と、リモコン検出部２２と、操作者特定部２３とを有する。さらに、リモコン操作者検出システムが受光部４を備えるとともに、検出装置２０がコード検出部２４を有してもよい。
【００１０】
図２のカメラ３は、例えばＣＭＯＳカメラやＣＣＤカメラである。このカメラ３は、例えば映像表示装置１００の中央下部のベゼルに取り付けられ、あるいは、組み込まれている。そして、カメラ３は映像表示装置１００の表示パネルと同じ方向を向いており、映像表示装置１００の前方を撮影する。例えば、図１の状態をカメラ３で撮影すると、図３のような映像が得られる。
【００１１】
なお、同図の破線および座標は後述の説明で用いるものであって、実際の映像上に表示されるわけではない。また、便宜上、映像の左下を原点とし、水平方向をｘ軸（右向きが正）、垂直方向をｙ軸（上向きが正）とする。加えて図１に示すように、映像表示装置１００からの距離をｚとする。
【００１２】
ここで、カメラ３は、可視光はもちろんのこと、以下のように赤外線も検出できる。図４は、カメラ３が有する撮像素子の受光感度を概略的に示す図である。カメラ３はＲ撮像素子と、Ｇ撮像素子と、Ｂ撮像素子とを有する。Ｒ撮像素子は可視光のうち長波長の光に対して感度が高く、かつ、赤外（ＩＲ）領域にも感度がある。そのため、Ｒ撮像素子はリモコンが発する赤外線信号を撮影でき、カメラ３で撮影された映像に赤外線信号が現れる。
【００１３】
なお、Ｇ撮像素子は可視光のうち中波長の光に対して感度が高く、Ｂ撮像素子は可視光のうち短波長の光に対して感度が高い。よって、Ｇ撮像素子およびＢ撮像素子は、赤外線信号に対してほとんど反応しない。
【００１４】
カメラ３で撮影された映像は、図２における検出装置２０内の顔検出部２１およびリモコン検出部２２に供給される。
【００１５】
顔検出部２１は、カメラ３で撮影された映像から顔を検出し、その位置を特定する。顔検出部２１は、目、鼻、口等、顔の特徴を示す情報を予め記憶しておき、これらの特徴と一致する映像内の部分を顔として検出する。そして、顔検出部２１は、顔の位置、より具体的には顔の中心位置のｘ軸およびｙ軸上の位置、ならびに、映像表示装置１００との距離ｚを視聴者の顔の位置（ｘ，ｙ，ｚ）として特定する。映像表示装置１００との距離ｚは、例えば検出された顔の幅や右目と左目との距離から推測できる。図３において、検出された視聴者４１〜４３の顔の位置をそれぞれ（ｘ１，ｙ１，ｚ１），（ｘ２，ｙ２，ｚ２），（ｘ３，ｙ３，ｚ３）とする。これら顔の位置は操作者特定部２３に供給される。
【００１６】
一方、リモコン検出部２２は、カメラ３で撮影された映像からリモコン５１を検出し、その位置を特定する。図５および図６は、リモコン検出部２２の動作を説明する図である。図５（ａ），（ｂ）は、それぞれ時刻ｔ１，ｔ２に撮影された映像を示している。時刻ｔ１ではリモコン５１は操作されておらず、リモコン５１は赤外線信号を発していない。時刻ｔ１より後である時刻ｔ２で視聴者４２がリモコン５１を操作すると、リモコン５１は赤外線信号５２を発する。上述したように、カメラ３は赤外線信号５２をも撮影する。
【００１７】
そして、リモコン検出部２２は、時刻ｔ１の映像と時刻ｔ２の映像との差分を、画素ごとに算出する。図６は差分処理の結果を模式的に示している。時刻ｔ１と時刻ｔ２が近接していれば、リモコン５１が赤外線信号５２を発したこと以外、時刻ｔ１の映像と時刻ｔ２の映像とに差はないはずである。すなわち、赤外線信号５２に対応する画素では差分値が高くなり、その他の画素では差分値がほぼ０となる。
【００１８】
このようにして、差分処理により赤外線信号の位置が検出される。以下では、検出された赤外線信号のｘ軸およびｙ軸上の位置を（Ｘ，Ｙ）とする。リモコン５１の位置（Ｘ，Ｙ）は操作者特定部２３に供給される。なお、リモコン５１と映像表示装置１００との距離は取得しなくてもよい。
【００１９】
なお、映像にノイズが存在することもある。この場合、撮影時刻が異なる２つの映像の差分処理を行っても、赤外線信号に対応する画素以外の画素でも差分値が高くなることがある。そのため、リモコン検出部２２は、例えば差分値が所定値以上である画素が所定サイズ以下だけ隣接している場合に、リモコン５１の赤外線信号であると判断してもよい。赤外線信号はそれほど大きくないためである。
【００２０】
上記の所定サイズは、例えば映像表示装置１００から１ｍだけ離れたところからリモコン５１の赤外線信号を発した時に撮影される画素数として定めることができる。具体例として、所定サイズを水平方向４画素×垂直方向４画素としてもよい。
【００２１】
また、リモコン検出部２２は、カメラ３のＲ，ＧおよびＢ撮像素子で撮影された画素値を用いてもよいが、Ｒ撮像素子で撮影された画素値のみを用いてもよい。図４に示すように、赤外線に対してはＲ撮像素子が最も感度が高いため、Ｒ撮像素子のみを用いてもリモコンを検出でき、差分処理の負荷を軽減できる。また、Ｇ撮像素子およびＢ撮像素子で撮影された画素値を用いないことで、ノイズの影響を低減できる。
【００２２】
図２に戻り、検出装置２０の操作者特定部２３は、顔検出部２１から供給される顔の位置と、リモコン検出部２２から供給されるリモコン５１の位置とに基づいて、いずれの視聴者がリモコンを操作しているかを特定する。より具体的には、操作者特定部２３は、複数の視聴者４１〜４３の中から以下の２条件を満たす視聴者をリモコン操作者として特定する。
【００２３】
（１）．｜Ｘ−ｘ｜が最小であること。
【００２４】
（２）．ｙ＞Ｙであること。
【００２５】
上記（１）は、リモコン操作者は、他の視聴者と比べ、顔のｘ軸上の位置とリモコン５１のｘ軸上の位置が近くなると考えられることから導かれる条件である。上記（２）は、通常はリモコン５１を手で操作するので、リモコン５１の位置より顔の位置の方が高くなることから導かれる条件である。
【００２６】
図３において、｜Ｘ−ｘ１｜および｜Ｘ−ｘ３｜より、｜Ｘ−ｘ２｜が小さい。かつ、図６においてｙ２＞Ｙである。よって、操作者特定部２３は視聴者４２がリモコン操作者であることを特定できる。なお、顔が１つしか検出されなかった場合、リモコン５１が検出されなかった場合、上記の２条件を満たす視聴者がいない場合には、操作者特定部２３はリモコン操作者を特定しない。
【００２７】
また、より正確にリモコン操作者を特定するためには、上記（２）に代えて下記（２’）の条件としてもよい。
【００２８】
（２’）ｙ＞Ｙ＋ｆ（ｚ）であること。
【００２９】
ｆ（ｚ）はｚに依存する値であり、より具体的には、ｚが大きいほどｆ（ｚ）は小さくなる値である。視聴者が映像表示装置１００から離れているほど（ｚが大きいほど）、映像における顔とリモコンとの距離は小さくなるためである。
【００３０】
以上のようにして、検出装置２０はリモコン操作者を特定できる。
【００３１】
ところで、図２のリモコン検出部２２は、映像表示装置１００用のリモコンだけでなく、エアコン等他の機器用のリモコンを検出してしまうことがある。その結果、操作者特定部２３が、他の機器用のリモコンを操作している視聴者を、誤って映像表示装置１００用のリモコンを操作している視聴者と特定してしまうこともある。
【００３２】
そこで、受光部４が受光したリモコンからの赤外線信号に基づいて、当該赤外線信号が映像表示装置１００に対する信号か否かを判定するコード検出部２４を設けてもよい。コード検出部２４は、赤外線信号のコードを解析することで、映像表示装置１００に対する信号か否かを判定できる。映像表示装置１００に対する信号でない場合、コード検出部２４はその旨を操作者特定部２３に通知する。
【００３３】
この場合、操作者特定部２３は、上記の条件を満たす視聴者がいる場合でも、リモコンの操作者を特定しない。
【００３４】
このようにして、カメラ３で撮影された映像を用いて、視聴者の顔およびリモコンを検出し、これらの位置関係に基づいてリモコン操作者を特定でき、さらには、リモコン操作者の顔を特定できる。
【００３５】
以下、検出されたリモコン操作者に応じた処理を行う映像表示装置の例を説明する。
【００３６】
（第１の実施形態）
図７は、第１の実施形態に係る映像表示装置１００の外観図であり、図８は図７の映像表示装置１００の概略構成を示すブロック図である。映像表示装置１００は、液晶パネル１と、入力端子２と、カメラ３と、受光部４と、コントローラ１０とを備えている。
【００３７】
液晶パネル（表示部）１は、例えば２０インチサイズのパネルであり、水平方向に１９２０個、垂直方向に１０８０個の画素が配置される。液晶パネル１には、背面に設けられるバックライト装置（不図示）から光が照射される。そして、各画素はコントローラ１０から供給される映像信号に応じた輝度の光を透過させる。液晶パネル１は、眼鏡を用いて、あるいは、裸眼で立体映像を表示するものであってもよい。
【００３８】
入力端子２は１または複数個設けられ、入力端子２には衛星デジタルテレビジョン放送信号や地上デジタル放送信号が入力される。あるいは、入力端子２には、光ディスク再生装置やパーソナルコンピュータ等の映像出力機器から符号化された映像信号が入力されてもよい。入力された各種信号は、コントローラ１０内のチューナデコーダ１１に供給される。
【００３９】
カメラ３は、液晶パネル１の下部中央付近に、所定の仰角で取り付けられ、液晶パネル１の前方の所定の範囲を撮影する。上述のように、このカメラ３はリモコンが発する赤外線信号も撮影できる。カメラ３で撮影された映像は、リモコン操作者を検出するために、検出部２０に供給される。
【００４０】
受光部４は、例えば液晶パネル１の下部の左側に設けられる。そして、受光部４は視聴者が使用するリモコンから送信される赤外線信号を受信する。
【００４１】
次に、コントローラ１０の構成要素の詳細について説明する。図８に示すように、コントローラ１０は、チューナデコーダ１１と、記憶部１２と、検出部２０と、処理部１３と、画像出力部１４とを有する。コントローラ１０は、例えば１つのＩＣ（Integrated Circuit）として実装され、液晶パネル１の裏側に配置される。もちろん、コントローラ１０の一部をソフトウェアで実装してもよい。
【００４２】
チューナデコーダ１１は入力端子２から入力される放送信号を受信および選局し、符号化された映像信号を復号する。放送波に電子番組表（ＥＰＧ）等のデータ放送の信号が重畳されている場合、チューナデコーダ１１はこれを抽出する。あるいは、チューナデコーダ１１は、放送信号ではなく、符号化された映像信号を受信し、これを復号する。復号された信号はベースバンド映像信号とも呼ばれ、画像出力部１４に供給される。なお、映像表示装置１００が放送波を受信せず、専ら映像出力機器から受信する映像信号を表示する場合、チューナデコーダ１１に代えて単に復号機能を有するデコーダを受信部として設けてもよい。
【００４３】
記憶部１２は、視聴者の顔と、視聴者の属性情報とが関連付けられたデータベースを記憶する。図９は、データベースの構造の一例を示す図である。データベースは、視聴者を示す視聴者ＩＤと、視聴者の顔情報と、視聴者のアイコンと、視聴者の属性情報が関連付けられている。属性情報とは、例えば視聴者の年齢や各コンテンツの視聴回数である。このデータベースは、例えば映像表示装置１００の「データベース設定モード」で設定される。
【００４４】
視聴者の顔情報は、顔そのものでもよいし、顔の右目と左目の間隔等顔の特徴でもよい。また、顔情報は、視聴者がリモコンを用いて入力してもよいし、カメラ３で撮影した映像から自動的に特徴を抽出したものでもよい。
【００４５】
視聴者のアイコンは、例えば予め定めたいくつかのアイコンから任意に視聴者が選択してもよいし、顔情報に基づいて生成されたものでもよい。
【００４６】
属性情報とは、例えば視聴者の年齢情報や、コンテンツの視聴履歴等である。年齢情報は、視聴者が年齢を直接設定してもよいし、視聴者の生年月日を設定して誕生日毎に自動で更新されてもよい。視聴履歴は、例えばコンテンツをスポーツ、ドラマ、漫画およびニュース等のジャンルに分類し、視聴者ごとに各ジャンルの視聴回数をカウントしたものである。その他、属性情報として、視聴者の好みのジャンルを設定してもよい。
【００４７】
図８に戻り、検出部２０は図２に示すものであり、カメラ３で撮影された映像を用いてリモコン操作者を検出し、リモコン操作者の顔情報を処理部１３へ供給する。
【００４８】
処理部１３は、供給されるリモコン操作者の顔情報と、記憶部１２に記憶されたデータベースの顔情報とを比較して、リモコン操作者の視聴者ＩＤを特定する。すなわち、処理部１３はリモコンを操作している視聴者を特定する。そして、処理部１３は当該視聴者ＩＤと関連付けられたリモコン操作者のアイコンや属性情報を取得する。さらに、処理部１３は、リモコン操作者のアイコンや属性情報に応じた処理を行う。
【００４９】
画像出力部１４は、チューナデコーダ１１から出力される映像信号および処理部１３の処理に応じた映像信号を液晶パネル１に出力し、表示させる。
【００５０】
以下、処理部１３による処理の具体例をいくつか説明する。
【００５１】
例えば、処理部１３は、リモコン操作者の好みに応じた視聴推奨コンテンツを選択し、画像出力部１４を介して液晶パネルに表示する。例えば、リモコン操作者が図９の視聴者Ｖ２である場合、この視聴者は小学生であるため、処理部１３は漫画を視聴推奨コンテンツとして提示してもよい。また、リモコン操作者が視聴者Ｖ１である場合、ドラマの視聴回数が多いため、処理部１３はドラマを視聴推奨コンテンツとして提示してもよい。提示の仕方に特に制限はないが、例えば電子番組表上で視聴推奨コンテンツを強調して表示することができる。
【００５２】
また、リモコン操作者と、当該リモコン操作者の検出時に液晶パネル１に表示されている映像コンテンツとに基づいて、処理部１３はデータベースにおける視聴回数を更新してもよい。例えば、リモコン操作者が視聴者Ｖ０であり、液晶パネル１にスポーツ番組が表示されている場合、処理部１３は視聴者Ｖ０のスポーツ視聴回数を５１から５２へインクリメントする。表示されている映像のコンテンツが何であるかを示す情報は、例えばチューナデコーダが放送波から抽出することができる。
【００５３】
あるいは、処理部１３は、リモコン操作者の年齢に応じた処理を行ってもよい。例えば、リモコン操作者が視聴者Ｖ２である場合、チューナデコーダ１１から成人向けコンテンツが出力されている場合でも、これが液晶パネル１に表示されないよう画像出力部１４を制御してもよい。また、リモコン操作者が乳幼児である場合、処理部１３はリモコンからの操作を受け付けないようにしてもよい。
【００５４】
また、処理部１３は、リモコン操作者のアイコンを選択して、画像出力部１４に出力してもよい。この場合、画像出力部１４は、チューナデコーダ１１から出力される映像信号の一部にアイコンを重畳して、液晶パネル１に出力する。これにより、リモコン操作者が正しく検出されているか否かを、視聴者が確認することができる。
【００５５】
このように、第１の実施形態では、カメラ３で撮影された映像を用いてリモコン操作者を検出するため、リモコン操作者に応じた処理を行うことができる。
【００５６】
（第２の実施形態）
以下に説明する第２の実施形態は、インターネットに接続して、クラウドサービスを利用可能な映像表示装置に関する。
【００５７】
図１０は、第２の実施形態に係る映像表示装置１００の概略構成を示すブロック図である。図１０では、図８と共通する構成部分には同一の符号を付しており、以下では相違点を中心に説明する。
【００５８】
図１０の映像表示装置１００はＬＡＮ（Local Area Network）端子５を備えるとともに、コントローラ１０はＬＡＮインターフェース（Ｉ／Ｆ）１５を有する。ＬＡＮ端子５は、例えば液晶パネル１の裏側に設けられる。そして、ＬＡＮ端子５は、ＬＡＮインターフェース１５を介して、処理部１３と接続され、イーサネット（登録商標）を用いた一般的なＬＡＮ対応ポートとして使用される。ＬＡＮ端子５にはＬＡＮケーブルが接続されており、インターネットと通信できる。もちろん、ＬＡＮケーブルを用いない無線通信でもよい。
【００５９】
本実施形態の処理部１３は、インターネットに接続することにより、ＳＮＳ（Social Networking System）などクラウドサービスを利用できる。そして、液晶パネル１にはクラウドサービスに関する映像を表示することもできる。ここでのクラウドサービスは、インターネットに接続し、ログインＩＤおよびパスワードを入力することにより、ログイン可能なサービスである。
【００６０】
また、記憶部１２には、例えば図１１に示すデータベースが記憶されている。データベースは、視聴者を示す視聴者ＩＤと、視聴者の顔情報と、クラウドサービスと、当該クラウドサービスのログイン情報（すなわち、ログインＩＤおよびパスワード）とが関連付けられている。クラウドサービスとログイン情報とのペアが複数個関連付けられていてもよい。もちろん、第１の実施形態と同様に、アイコンや属性情報がさらに関連付けられていてもよい。
【００６１】
本実施形態の映像表示装置１００は以下のように動作する。
【００６２】
検出部２０がリモコン操作者を検出すると、処理部１３は、モコン操作者の顔情報と、記憶部１２に記憶されたデータベースの顔情報とを比較して、リモコン操作者の視聴者ＩＤを特定する。すなわち、処理部１３はリモコンを操作している視聴者を特定する。そして、処理部１３は、当該視聴者ＩＤと関連付けられたクラウドサービスとログイン情報を取得する。さらに、処理部１３は、ＬＡＮインターフェース１５を介して、取得したログイン情報をクラウドサービスに自動設定して、クラウドサービスにログインする。
【００６３】
そして、処理部１３が、ＬＡＮインターフェース１５を介してクラウドサービスの更新情報を取得すると、更新があったことを液晶パネル１に表示して、視聴者にその旨を通知する。表示手法に特に制限はないが、例えば液晶パネル１に吹き出しを表示して更新情報を通知してもよいし、クラウドサービスの画面そのものを液晶パネル１に表示してもよい。
【００６４】
また、液晶パネル１は「いいね」のようなクラウドサービス用のアイコンを表示することもでき、視聴者はリモコンでこのアイコンを選択することができてもよい。この場合、処理部１３は上記のようにしてリモコンを操作している視聴者のログイン情報を用いてクラウドサービスにログインするとともに、アイコンに対するリモコン操作に応じてクラウドサービスに投稿してもよい。
【００６５】
このように、第２の実施形態では、予め視聴者の顔とクラウドサービスのログイン情報とを関連付けて記憶しておく。そのため、視聴者は自らログイン情報を設定することなく、簡易にクラウドサービスにログインできる。
【００６６】
上述した実施形態で説明したコントローラ１０の少なくとも一部は、ハードウェアで構成してもよいし、ソフトウェアで構成してもよい。ソフトウェアで構成する場合には、コントローラ１０の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６７】
また、コントローラ１０の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６９】
１  液晶パネル
２  入力端子
３  カメラ
４  受光部
５  ＬＡＮ端子
１０  コントローラ
１１  チューナデコーダ
１２  記憶部
１３  処理部
１４  画像出力部
１５  ＬＡＮインターフェース
２０  検出部
２１  顔検出部
２２  リモコン検出部
２３  操作者特定部
２４  コード検出部
【図１】
2015038537.tif 000003
【図２】
2015038537.tif 000004
【図３】
2015038537.tif 000005
【図４】
2015038537.tif 000006
【図５】
2015038537.tif 000007
【図６】
2015038537.tif 000008
【図７】
2015038537.tif 000009
【図８】
2015038537.tif 000010
【図９】
2015038537.tif 000011
【図１０】
2015038537.tif 000012
【図１１】
2015038537.tif 000013